(57)【要約】  本発明の対象は、生体多糖類骨格およびこれとエーテル架橋を介して結合する分子量＜５０００を有する有機基とからなる多糖類誘導体である。有機基が一般式（Ｉａ）または（Ｉｂ）を有する。生体多糖類−成分として有利にα−またはβ−（１，４）−および／またはα−またはβ−（１，３）−グルカン−単位、例えばキシログルカン、グルコマンナン、例えばガーゴムまたはイナゴマメゴム、キサンタンゴム、カラジーナン、アルギネートおよびペクチンを使用する。同様に、本発明はこの多糖類誘導体の製法を包含し、この製法においては生体多糖類−成分をＮ−（Ｃ６〜Ｃ２４）−アルキルマレアミド酸またはその塩と塩基触媒により反応させる。更に、この多糖類誘導体のセルロース繊維への結合のための使用にも関する。【特許請求の範囲】
【請求項１】
生体多糖類骨格およびこれとエーテル架橋を介して結合する分子量＜５０００を有する有機基とからなる多糖類誘導体。
【請求項２】
有機基が一般式（Ｉａ）または（Ｉｂ）
【化１】
2007534783.tif 000003
［式中、ＲはＣ６〜Ｃ２４−アルキル基であり、Ｒ′はＨ、Ｃ１〜Ｃ３０−アルキル基またはカチオンを表す］を有する、請求項１記載の多糖類誘導体。
【請求項３】
生体多糖類がα−またはβ−（１，４）−および／またはα−またはβ−（１，３）−グルカン−単位からなる、請求項１または２記載の多糖類誘導体。
【請求項４】
生体多糖類がグルコース、マンノース、キシロース、ガラクトース、グルロン酸、マンヌロン酸および／またはガラクツロン酸−単位を有する、請求項１から３までのいずれか１項記載の多糖類誘導体。
【請求項５】
生体多糖類がキシログルカン、グルコマンナン、マンナン、ガラクトマンナン、α−またはβ−（１，３），（１，４）−グルカン、グルクロン−、アラビノ−およびグルクロノアラビノキシランおよび特にガーゴム、イナゴマメゴム、キサンタンゴム、カラジーナン、アルギネート、ペクチン、デンプン、セルロースおよびその誘導体である、請求項１から４までのいずれか１項記載の多糖類誘導体。
【請求項６】
多糖類とＮ−（Ｃ６〜Ｃ２４）−アルキルマレアミド酸またはその塩とを塩基触媒により反応させる、請求項１から５までのいずれか１項記載の多糖類誘導体の製法。
【請求項７】
Ｎ−アルキルマレアミドが一般式Ｒ−ＮＨ２（式中、Ｒ＝Ｃ６〜Ｃ２４−アルキル）の脂肪酸アミンとマレイン酸無水物とから得られた、請求項６記載の製法。
【請求項８】
多糖類との反応前にマレアミド−成分がマレイミド−誘導体に環化された、請求項６または７記載の製法。
【請求項９】
多糖類との反応後にマレアミド−成分がスクシンイミド−誘導体に環化される、請求項６から８までのいずれか１項記載の製法。
【請求項１０】
マレアミド−成分のカルボン酸官能基がエステル化される、請求項６から９までのいずれか１項記載の製法。
【請求項１１】
有機基の付加を実施した後、多糖類誘導体を有利には鉱酸で沈殿させる、請求項６から１０までのいずれか１項記載の製法。
【請求項１２】
セルロース繊維への結合のための、請求項１から５までのいずれか１項記載の多糖類誘導体の使用。
【請求項１３】
繊維処理のための請求項１２記載の使用。
【請求項１４】
生分解性の柔軟剤としての請求項１２または１３記載の使用。
【発明の詳細な説明】
【技術分野】
【０００１】
本発明の対象は、有機基と結合する生体多糖類誘導体、その製法およびその使用に関する。
【０００２】
特別な側鎖、特にセルロース支持体に結合可能である側鎖を有する多糖類は技術水準から長期にわたって公知である。
【０００３】
こうして、例えば国際特許出願ＷＯ９９／３６４６９は、多糖類がセルロースに結合することを可能にする、分子量少なくとも５０００を有する基に結合している、多糖類−主鎖からなる多糖類−複合体が記載されている。
【０００４】
この関連において、天然に存在する多糖類、例えばエンドウマメ−またはタマリンド−種子からのキシログルカンの、多糖類−多糖類−相互作用を介してセルロースに結合する特性は十分に知られている。この結合タイプは特に植物細胞壁から公知であるが、例えば製紙産業および繊維産業においてセルロース繊維に特別な特性を付与するためにも使用される。
【０００５】
天然の多糖類の比較的大きな側基での誘導体化の他にも、生体ポリマーをカルボニル基を有する低分子量の基を用いて誘導体化することも試みられた。
【０００６】
ＵＳ−特許３２９７６０４号明細書はガラクトース−単位を酸化した形で含有するポリマー−組成物を記載しており、この際このカルボニル基はシアンヒドリン、ジサルファイト付加化合物、オキシムまたはヒドラゾンの形成下に反応する。この文献中に記載されている組成物はポリマー、例えばガーゴム、イナゴマメゴム、および特にセルロースの架橋のためにも使用することができる。
【０００７】
ハヤシ等の刊行物（Plant Physiol. 1978, 83, 384-389中の“Pea Xyloglucan and Cellulose”）は、エンドウマメキシログルカンのセルロースへの結合挙動に関する研究を記載しており、この際キシログルカンをＣＮＢｒおよびフルオレセインアミンで処理した。従来と同様、この刊行物に記載した基はそれまでにも多糖類と結合された最も小さい分子単位である。
【０００８】
従来の技術水準に基づいて、生体多糖類骨格およびこれと結合する有機基とからなり、この有機基がセルロース単位に結合することを可能とする、多糖類誘導体であって、特に生分解性であり、こうして特に産業上の観点から従来公知のセルロース繊維の処理剤に対して、生態学的および経済的に有意義な新たな可能性を提供する多糖類誘導体を製造するという本発明の課題が設定された。
【０００９】
この新規多糖類誘導体は、できるだけ簡単な方法でかつ生態学的に問題のない出発化合物を使用して製造可能であり、特に環境に影響を受ける適用分野のために好適であることが必要である。
【００１０】
この課題は、生体多糖類骨格およびこれとエーテル架橋を介して結合する分子量＜５０００を有する有機基とからなる多糖類誘導体により解決した。
【００１１】
本発明による多糖類誘導体が、従来の著しく環境に調和する出発物質から簡単な方法で製造することができるべきであるという課題設定に適合するだけでなく、この多糖類誘導体は、分子量少なくとも５０００の適した有機基を有する多糖類化合物にのみ公知であった、セルロース繊維への複合体化のためにも著しく好適であることが意外にも確認された。従来公知の多糖類誘導体とは異なり、本発明による多糖類誘導体はセルロース性繊維織物の処理の際に生じる立体的問題を回避する。
【００１２】
更に、生体多糖類骨格と架橋した有機基は相当する簡単な後処理法により、種々の異なる顕著な特性に変化させることができ、このことは提案する多糖類誘導体の使用分野を更に拡張する。
【００１３】
本発明において、有機基が分子量２００〜４０００であるのが有利である。有機基は有利に少なくとも１つのカルボン酸（塩）−またはカルボン酸エステル基および／または少なくとも１つのカルボン酸アミド基、特にカルボン酸−Ｃ６〜Ｃ２４−アルキルアミド基を含有する。カルボン酸（塩）−または−エステル基にまたはカルボン酸アミド基にα−位で、生体多糖類にエーテル架橋を介して結合している有機基が、特に有利である。一般式（Ｉａ）または（Ｉｂ）
【００１４】
【化１】
2007534783.tif 000002
［式中、ＲはＣ６〜Ｃ２４−アルキル基である］を有する有機基が特に有利である。その際、この基Ｒは特に天然の脂肪酸基を表し、かつ場合により１つ以上の二重結合を有していてよい。Ｒ′はＨ、Ｃ１〜Ｃ３０−アルキル基またはカチオン、例えば金属（例えば、Ｎａ、Ｋ等）、アンモニウム基または有機カチオンを表す。
【００１５】
本発明においては、生体多糖類−成分とは、これが有利にα−またはβ−（１，４）−および／またはα−またはβ−（１，３）−グルカン−単位からなり、特に有利には生体多糖類がグルカン、マンナンおよび／またはキシラン−単位、および殊に有利にはグルコース、マンノース、キシロース、ガラクトース、グルロン酸、マンヌロン酸および／またはガラクツロン酸−単位からなる。
【００１６】
記号−Ｏは生体多糖類−成分の骨格から由来するＯ−原子を表す。
【００１７】
本発明において生体多糖類骨格として、キシログルカン、グルコマンナン、マンナン、ガラクトマンナン、α−またはβ−（１，３），（１，４）−グルカン、グルクロン−、アラビノ−およびグルクロノアラビノキシランおよび特にガーゴム、イナゴマメゴム、キサンタンゴム、カラジーナン、アルギネート、ペクチン、デンプン、セルロースおよびその任意の誘導体、例えばメチル−、カルボキシメチル−、ヒドロキシアルキル−エチレングリコール−および／またはプロピレングリコール誘導体を有する、多糖類誘導体は生分解性に関して特に良好な特性を有している。
【００１８】
特に、骨格としてヒドロコロイド、例えばガラクトマンナンを含有する多糖類誘導体は驚くほど迅速にかつ効果的にセルロース単位に結合する。
【００１９】
全体としては、本発明の範囲において生体多糖類−成分は全く制限されないが、最小でも鎖長が糖単位４個を有するものを選択することが推奨される。
【００２０】
単糖類単位あたりの有機基の数は本発明の範囲において広範囲で変化させることができ、有利に０．０１〜４である。
【００２１】
多糖類誘導体と共に、本発明はその製法も請求しており、その際生体多糖類を有機基を導入するために好適な試薬、有利にＮ−アルキルマレアミド酸またはその塩と塩基触媒により反応させる。その際、マレアミド酸は炭素原子６〜２４個を有するアルキル基を有するべきである。他の好適な試薬は、生体多糖類のＯＨ−基とエーテル結合を形成下に反応することのできるＣ＝Ｃ−二重結合を有する有機化合物、例えばアクリル酸およびその誘導体である。
【００２２】
本発明において、Ｎ−アルキルマレアミドが一般式Ｒ−ＮＨ２（式中、Ｒ＝Ｃ６〜Ｃ２４−アルキル）の脂肪酸アミンとマレイン酸無水物とから得られたのが有利である。
【００２３】
本発明は、生体多糖類との本来の反応前にマレアミド−成分がマレイミド−誘導体に環化された変法も包含する。
【００２４】
選択的に、マレアミド−成分を本発明に相応して多糖類と反応させた後に、スクシンイミド−誘導体に環化することもできる。
【００２５】
更に、本発明はマレアミド−成分のカルボン酸官能基がエステル化される変法も包含し、このためにはアルコールＲ′ＯＨ（Ｒ′＝Ｃ１〜Ｃ３０−アルキル）が特に推奨される。このエステル化工程は生体多糖類との反応の前にも後にも実施することができる。
【００２６】
所望の品質で多糖類誘導体を獲得するために、生体多糖類骨格への有機基の付加を実施した後に、多糖類誘導体を沈殿させることができるが、このためには有利に鉱酸、例えば希塩酸を使用する。
【００２７】
記載された、アミンとマレイン酸無水物とからのＮ−置換マレアミド酸およびマレイミドの製造は基本的に公知の合成法により実施され、これは例えばOrganic Synthesis, Coll. 第IV巻, p 944から公知である。マレアミド酸エステルまたはマレアミドへのアルコールの付加は、例えばR. A. Finneganおよび W. H. Mueller, J. Pharm. Sci. 1965, 54, 1257-1260から公知である。
【００２８】
同様に、本発明はセルロース繊維への結合のために本発明による多糖類誘導体を使用することを包含する。有利に本発明の範囲においては繊維処理のための使用および特に有利に生分解性の柔軟剤としての使用が実施される。
【００２９】
総括すると、本発明の中心は多糖類誘導体であり、これは骨格としてα−またはβ−（１，４）−および／またはα−またはβ−（１，３）−グルカン−単位を有する生体多糖類を有し、かつこれはエーテル架橋を介して分子量＜５０００を有する有機基と結合している。生体多糖類も特にこれと結合する有機基も、天然に存在する化合物もしくは毒物学的に問題ない化合物であるので、本発明による多糖類誘導体は容易に生分解可能な生成物を形成し、特に生態学的観点から産業における使用分野、例えば繊維処理および繊維加工においても全く問題を引き起こさない。
【００３０】
以下の実施例は、本発明の利点を明らかにし、特に請求した多糖類誘導体の製造に関する利点を明らかにする。
【００３１】
例
マレイン酸無水物４．０ｇおよびオクタデシルアミン１０．８ｇをＤＭＳＯ４０ｍｌ中に溶かし、８０℃で１時間撹拌した。次いで、この混合物にゆっくりと水酸化カリウム６．０ｇを添加し撹拌下に溶かした。この溶液にガーゴム４．９ｇを添加し、この混合物を撹拌下に１２０℃で１時間加熱した。次いで生成物を室温に冷却し、生成物を希塩酸およびエタノールで中和し、沈殿させた。
【手続補正書】
【提出日】平成18年2月7日(2006.2.7)
【手続補正１】
【補正対象書類名】特許請求の範囲
【補正対象項目名】全文
【補正方法】変更
【補正の内容】
【特許請求の範囲】
【請求項１】
生体多糖類骨格およびこれとエーテル架橋を介して結合する分子量＜５０００を有する有機基とからなり、ここで有機基は一般式（Ｉａ）または（Ｉｂ）
【化１】
2007534783.tif 000004
［式中、ＲはＣ６〜Ｃ２４−アルキル基であり、Ｒ′はＨ、Ｃ１〜Ｃ３０−アルキル基またはカチオンを表す］を有する、多糖類誘導体。
【請求項２】
生体多糖類がα−またはβ−（１，４）−および／またはα−またはβ−（１，３）−グルカン−単位からなる、請求項１記載の多糖類誘導体。
【請求項３】
生体多糖類がグルコース、マンノース、キシロース、ガラクトース、グルロン酸、マンヌロン酸および／またはガラクツロン酸−単位を有する、請求項１または２記載の多糖類誘導体。
【請求項４】
生体多糖類がキシログルカン、グルコマンナン、マンナン、ガラクトマンナン、α−またはβ−（１，３），（１，４）−グルカン、グルクロン−、アラビノ−およびグルクロノアラビノキシランおよび特にガーゴム、イナゴマメゴム、キサンタンゴム、カラジーナン、アルギネート、ペクチン、デンプン、セルロースおよびその誘導体である、請求項１から３までのいずれか１項記載の多糖類誘導体。
【請求項５】
多糖類とＮ−（Ｃ６〜Ｃ２４）−アルキルマレアミド酸またはその塩とを塩基触媒により反応させ、その際、任意に前記反応の前または後にマレアミド−成分のカルボン酸官能基をアルコールＲ′−ＯＨ（Ｒ′＝Ｃ１〜Ｃ３０−アルキル）でエステル化する、請求項１から４までのいずれか１項記載の多糖類誘導体の製法。
【請求項６】
Ｎ−アルキルマレアミドが一般式Ｒ−ＮＨ２（式中、Ｒ＝Ｃ６〜Ｃ２４−アルキル）の脂肪酸アミンとマレイン酸無水物とから得られた、請求項５記載の製法。
【請求項７】
多糖類との反応前にマレアミド−成分がマレイミド−誘導体に環化された、請求項５または６記載の製法。
【請求項８】
多糖類との反応後にマレアミド−成分がスクシンイミド−誘導体に環化される、請求項５から７までのいずれか１項記載の製法。
【請求項９】
有機基の付加を実施した後、多糖類誘導体を有利には鉱酸で沈殿させる、請求項５から８までのいずれか１項記載の製法。
【請求項１０】
セルロース繊維への結合のための、請求項１から４までのいずれか１項記載の多糖類誘導体の使用。
【請求項１１】
繊維処理のための請求項１０記載の使用。
【請求項１２】
生分解性の柔軟剤としての請求項１０または１１記載の使用。
【国際調査報告】
2007534783.tif 000005
2007534783.tif 000006
2007534783.tif 000007
2007534783.tif 000008